(57)【要約】【課題】水封トラップにおける破封が生じたときに、水封トラップの機能を回復させる封水回復構造を提供すること。【解決手段】排水器具１と、排水器具１の排水口１ａに繋がる排水管２と、排水管２に形成される水封トラップ３とを有し、自己サイフォンの作用により失われる封水を回復する封水回復構造であって、水封トラップ３よりも上流側の排水管２の内側に、排水を一時的に蓄えるための螺旋形状の排水保持手段（螺旋状溝又は螺旋羽）を有することを特徴とする。【選択図】図１
2005097953.tif 000002
【特許請求の範囲】
【請求項１】
排水器具と、前記排水器具の排水口に繋がる排水管と、前記排水管に形成される水封トラップとを有し、自己サイフォンによって失われる封水を回復する封水回復構造であって、
前記水封トラップよりも上流側の前記排水管の内側に、排水を一時的に蓄えるための螺旋形状の排水保持手段を有することを特徴とする封水回復構造。
【請求項２】
請求項１に記載の封水回復構造であって、
前記排水保持手段は、前記排水管の内壁に形成した螺旋状溝又は螺旋羽であることを特徴とする封水回復構造。
【請求項３】
請求項１に記載の封水回復構造であって、
前記排水保持手段は、前記排水器具の排水口に着脱可能に構成される栓水栓若しくは異物侵入防止手段に付帯される螺旋羽であることを特徴とする封水回復構造。
【請求項４】
請求項１に記載の封水回復構造であって、
前記排水保持手段は、
前記排水管の内壁に形成した螺旋状溝又は螺旋羽と、
前記排水器具の排水口に着脱可能に構成される異物侵入防止手段に付帯される螺旋羽とを有することを特徴とする封水回復構造。
【発明の詳細な説明】
【技術分野】
【０００１】
本発明は、排水構造の水封トラップにおいて、自己サイフォンの作用により封水が破れた際に、該封水を回復する封水回復構造に関する。
【背景技術】
【０００２】
従来、建築物等の排水構造においては、下流の下水からの臭気や虫が、排水管の空隙部を通して屋内に侵入してくることを防止するために、例えば図６に示すように、排水経路の途中で意識的に水（封水）を滞留させるようにして排水管内の空気を遮断する構成としている。これが水封トラップ52である。
【０００３】
しかし、水封トラップが形成された配管においても、自己サイフォンの作用により、水封トラップ内の封水が吸引されて排水されてしまう、いわゆる破封が生じ、室内に臭気や虫が侵入するという問題が発生することがある。ここで自己サイフォンとは、排水が終了する際、下流側への吸引力が強すぎて水封トラップ内の封水をも吸引してしまう現象のことである。
【０００４】
一方、サイフォンの原理を利用した排水構造が提案されている（例えば、特許文献１〜４参照）。ここでサイフォンの原理とは、液体が管内を満水状態で流下する際に、該液体の上流側に吸引作用を生じさせる原理のことをいう。このため、サイフォンの原理を利用した排水構造においては、より上流の排水を吸引する作用により円滑な排水ができ、かつ排水管の口径の小型化を実現することができる。
【０００５】
しかし、排水口の小口径化によって、サイフォンの原理を利用しない排水構造に比べて、少量の排水量でも前記の破封が生じやすくなるという問題が発生する。
【０００６】
自己サイフォンによる破封を防止する構造が提唱されている（例えば、特許文献５参照）。特許文献５においては、排水口の下流に、排水の一部を一時的に溜める小穴を有する水溜部を形成している。すると、自己サイフォンにより破封が生じた場合でも、前記水溜部に溜まった水が小穴から破封箇所に吸引作用が生じない程度に徐々に補給される。こうして、水封トラップの封水を回復していた。
【０００７】
【特許文献１】特開平６−４２０１９
【特許文献２】特開２０００−７４２６０
【特許文献３】特開２００２−１２１７９２
【特許文献４】特願２００３−１７６５６
【特許文献５】特開昭５３−２１８４９
【発明の開示】
【発明が解決しようとする課題】
【０００８】
しかしながら、特許文献５のように水溜部に小穴を設ける構造は、該小穴が排水中のゴミ等の異物で詰まりやすいという問題があった。水溜部に溜まる水は排水であるため、ゴミ等が含まれていることが多いからである。小穴が詰まると水が水溜部から供給されなくなり、破封が生じた水封トラップの封水を回復させることができなくなってしまう。
【０００９】
そこで本発明は、水封トラップにおける破封が生じたときに、特別な作業を要することなく、確実に水封トラップの機能を回復させる封水回復構造を提供すること目的とする。
【課題を解決するための手段】
【００１０】
前記目的を達成するための本発明に係る代表的な構成は、排水器具と、前記排水器具の排水口に繋がる排水管と、前記排水管に形成される水封トラップとを有し、自己サイフォンの作用により失われる封水を回復する封水回復構造であって、前記水封トラップよりも上流側の前記排水管の内側に、排水を一時的に蓄えるための螺旋形状の排水保持手段（螺旋状溝又は螺旋羽）を有することを特徴とする。
【００１１】
この構成により、排水が排水保持手段により一時的に保持され、該排水が排水管の水封トラップに時間を経て供給される。
【発明の効果】
【００１２】
本発明は、上述の如き構成と作用とを有し、排水が排水保持手段により一時的に保持され、該排水が排水管の水封トラップに時間を経て供給される。このため、自己サイフォンの作用により水封トラップにおける破封が生じたときに、水封トラップの機能を回復させる封水回復構造を簡易な構成で提供することができる。
【発明を実施するための最良の形態】
【００１３】
図を用いて本発明の実施形態を説明する。図１は溝底部の断面形状が略水平な螺旋溝の説明図（実施例１）であり、図２は溝底部の断面形状が傾斜している螺旋溝の説明図（実施例２）であり、図３は溝底部の断面形状が傾斜している２条の螺旋溝の説明図（実施例２）であり、図４は排水栓に付帯した螺旋羽の説明図（実施例３）であり、図５は網籠及び水溜部に付帯した螺旋羽の説明図（実施例４）である。
【００１４】
本発明は、排水器具と、前記排水器具の排水口に繋がる排水管と、前記排水管に形成される水封トラップとを有し、自己サイフォンの作用により失われる封水を回復する封水回復構造であって、前記水封トラップよりも上流側の前記排水管の内側に、排水を一時的に蓄えるための螺旋形状の排水保持手段（螺旋状溝４、５、６又は螺旋羽２ｂ、７ｄ、８ａ）を有することを特徴とする。以下、実施例を挙げて詳細に説明する。
【実施例１】
【００１５】
実施例１の封水回復構造について説明する。図１（ａ）に示すように、洗面台やバスタブ等の排水器具１には、排水口１ａに排水管２が付帯される。また、排水管２には、その一部をＵ字状に形成して水を溜めることで、下流からの臭気や虫の侵入を防ぐ水封トラップ３が形成される。ここで、サイフォンの原理による排水を行うことから、排水管２は小口径の管を用いる。
【００１６】
（封水回復構造の構成）
実施例１の封水回復構造においては、図１（ａ）に示すように、水封トラップ３よりも上流側の排水管２の内側に、螺旋状溝４を形成する。ここで螺旋状溝４の各溝は、図１（ｂ）に示すように、排水Ｗをより保持しやすいよう、溝底部４ａの断面形状が略水平となるように構成されている。
【００１７】
（排水時の作用）
上記構成により、排水時の作用は次のようになる。まず、排水が開始されると、排水は排水管の壁を伝いながら流下する性質があるため、螺旋状溝４を満たしつつ下流へ向かう。螺旋状溝４を含めた排水管２が満たされると、サイフォンの原理により排水管２の下流側へ吸引力が働き、この吸引力により排水性能は大幅に上昇する。しかし、自己サイフォンが生じると、封水が無くなった部分から排水管２の下流の下水管等からの臭気や虫が侵入するおそれが生ずる。
【００１８】
この場合、本発明においては排水終了後、図１（ｂ）に示すように、螺旋状溝４内に溜まった排水Ｗが螺旋状溝４の螺旋勾配に沿って下方へ移動する。そして、移動した排水Ｗが水封トラップ３のＵ字状底部に溜まる。こうして、排水直後に失なわれた水封トラップ３の封水を回復させることができる。ここで、螺旋状溝４に溜まる排水Ｗは少量であるが、排水管２はサイフォンの原理に適した小口径の配管である。このため、水封トラップ３の封水を行うには十分な量である。
【００１９】
また、本発明の封水回復構造によれば、排水口直下の直線部に構成されるため、清掃が容易である。更に、目詰まりが生じにくい。
【００２０】
このように、本発明によれば、水封トラップ３における破封が生じたときに、水封トラップ３の機能を回復させる封水回復構造を簡易な構成で提供することができる。
【実施例２】
【００２１】
実施例２の封水回復構造について説明する。前述の実施例と同様の構成については同符号を付すことで説明を省略する。
【００２２】
（封水回復構造の構成）
実施例２の封水回復構造においては、図２（ａ）に示すように、水封トラップ３よりも上流側の排水管２の内側に、螺旋状溝５を形成する。ここで螺旋状溝５の各溝は、図２（ｂ）に示すように、溝底部５ａの断面形状が排水管の中心方向へ傾斜するように構成されている。これは、泥水等、砂塵等の固形物が排水に含まれている場合、螺旋状溝５に該固形物が堆積することを防止するためである。
【００２３】
（排水時の作用）
上記構成により、自己サイフォンが発生して破封が生じた場合でも、図２（ｂ）に示すように、螺旋状溝５内に溜まった排水Ｗが螺旋状溝５の螺旋勾配に沿って下方へ移動する。また、排水Ｗは溝底部５ａの排水管の中心方向への傾斜に沿って流下する。こうして、移動や流下した排水Ｗが水封トラップ３のＵ字状底部に溜まり、水封トラップ３の封水を回復させることができる。
【００２４】
尚、本実施例では上述のように溝底部５ａの断面形状を排水管の中心方向へ傾斜するように構成している。このため、実施例１と比較すると各溝への異物堆積は少ない。しかし、反面、排水が流れ出やすいために排水を保持する量が少ない場合も考え得る。このような場合、図３に示すように、第一螺旋状溝６Ａ及び第二螺旋状溝６Ｂで構成される２重螺旋構造の螺旋状溝６とすれば、螺旋状溝の表面積が増えるため、保持する排水の量も多くすることが可能となる。もちろん、螺旋形状は、３重、４重などのようにより多く重ねてもかまわない。また、実施例１において、螺旋の勾配を大きくして、多重の螺旋状溝を設けてもよい。
【実施例３】
【００２５】
実施例３の封水回復構造について説明する。前述の実施例と同様の構成については同符号を付すことで説明を省略する。
【００２６】
（封水回復構造の構成）
実施例３の封水回復構造においては、図４（ａ）に示すように、排水器具１の排水口１ａに着脱可能な螺旋羽付排水栓７を有することで構成される。螺旋羽付排水栓７の構造を具体的に説明する。
【００２７】
螺旋羽付排水栓７は、排水器具１に水を溜める際に排水口１ａに嵌まり込む栓７ａと、栓７ａの下部に配設される軸７ｂと、軸７ｂに付帯され髪の毛等の異物が排水管２に入ることを防止するヘアキャッチャー（異物侵入防止手段）７ｃと、ヘアキャッチャー７ｃの下部に軸７ｂ回りに螺旋形状を成して構成される螺旋羽７ｄとにより構成される。螺旋羽７ｄは、図４（ｂ）に示すように、軸７ｂの回りに螺旋状に形成されたもので、プラスチックや金属のような固い材質で構成される。尚、螺旋羽７ｄは、２重の螺旋構造等、複数重ねてもよい。このような構成とすることで、目詰まりがしにくく、掃除が楽であるという効果がある。
【００２８】
（排水時の作用）
上記構成により、自己サイフォンが発生して破封が生じた場合でも、螺旋羽７ｄ上に一時的に溜まった排水が、時間をかけて螺旋羽７ｄから流下する。流下した排水は水封トラップ３のＵ字状底部に溜まり、封水を回復することができる。
【実施例４】
【００２９】
実施例４の封水回復構造について説明する。前述の実施例と同様の構成については同符号を付すことで説明を省略する。
【００３０】
（封水回復構造の構成）
実施例４の封水回復構造は、図５に示すように、排水器具１の排水口に着脱可能に嵌まり込みゴミ等を収集する網籠（異物侵入防止手段）８と、網籠８が入り込むための排水管２の最上流にある水溜部２ａとを有する排水構造において構成される。実施例４においては、網籠８の周囲には螺旋状に螺旋羽８ａが形成され、水溜部２ａの側面には螺旋状に螺旋羽２ｂが形成される。螺旋羽２ｂ、８ａは、プラスチックや金属のような固い材質で構成され、２重の螺旋構造等、螺旋構造を複数重ねてもよい。
【００３１】
（排水時の作用）
上記構成により、自己サイフォンが発生して破封が生じた場合でも、螺旋羽２ｂ、８ａ上に一時的に溜まった排水が、時間をかけて螺旋羽２ｂ、８ａから流下する。流下した排水は水封トラップ３のＵ字状底部に溜まり、封水を回復することができる。
【産業上の利用可能性】
【００３２】
本発明は、建築物に限らず封水トラップを有する排水構造、例えば、船舶、航空機、列車等の内部の排水構造に利用することができる。
【図面の簡単な説明】
【００３３】
【図１】溝底部の断面形状が略水平な螺旋溝の説明図（実施例１）。
【図２】溝底部の断面形状が傾斜している螺旋溝の説明図（実施例２）。
【図３】溝底部の断面形状が傾斜している２条の螺旋溝の説明図（実施例２）。
【図４】排水栓に付帯した螺旋羽の説明図（実施例３）。
【図５】網籠及び水溜部に付帯した螺旋羽の説明図（実施例４）。
【図６】水封トラップの説明図（背景技術）。
【符号の説明】
【００３４】
Ｗ …排水、
１ …排水器具、１ａ …排水口、
２ …排水管、２ａ …水溜部、２ｂ …螺旋羽、
３ …水封トラップ、
４ …螺旋状溝、４ａ …溝底部、
５ …螺旋状溝、５ａ …溝底部、
６ …螺旋状溝、６Ａ …第一螺旋状溝、６Ｂ …第二螺旋状溝、
７ …螺旋羽付排水栓、７ａ …栓、７ｂ …軸、
７ｃ …ヘアキャッチャー、７ｄ …螺旋羽、
８ …網籠、８ａ …螺旋羽
【図１】
2005097953.tif 000003
【図２】
2005097953.tif 000004
【図３】
2005097953.tif 000005
【図４】
2005097953.tif 000006
【図５】
2005097953.tif 000007
【図６】
2005097953.tif 000008